(57)【要約】  形状記憶合金のメッシュによる細長弾性管が、生体組織の開口を塞ぐ治療に使用される。管は、カテーテル内から生体組織の開口に送られるよう圧縮可能である。管は、カテーテルから排出されると自動展開して、外部湾曲構造と、前記外部湾曲構造内に配置され、前記外部湾曲構造の内側に適合して係合する内部湾曲構造と、前記内部湾曲構造よりも実質的に小さい直径を有し、前記内部湾曲構造の頂点から離間する方向に延在する管状コネクタと、内部プレート形状構造と、外部プレート形状構造と、着脱可能コネクタとの形状が連続的に順次形成される。釣鐘型は開口の一方側に配置され、プレート形状は開口の他方側に配置され、コネクタは開口を介して延在する。【選択図】図８
2019511345.tif 000002
【特許請求の範囲】
【請求項１】
生体組織の開口を閉塞する装置であって、
形状記憶合金のメッシュで形成され、カテーテル内から前記開口に送られるよう圧縮可能な細長弾性管を備え、当該管は前記カテーテルから排出されると自動展開して、
外部湾曲構造と、
前記外部湾曲構造内に配置され、前記外部湾曲構造の内側に適合して係合する内部湾曲構造と、
前記内部湾曲構造よりも実質的に小さい直径を有し、前記内部湾曲構造の頂点から離間する方向に延在する管状コネクタと、
内部プレート形状構造と、
外部プレート形状構造と、
着脱可能コネクタとが連続的に順次形成される、装置。
【請求項２】
前記形状記憶合金はニチノールである、請求項１に記載の装置。
【請求項３】
前記装置の、前記カテーテルから最初に排出される先端は、閉鎖端として形成される、請求項１に記載の装置。
【請求項４】
前記形状記憶合金は編み込まれている、請求項１に記載の装置。
【請求項５】
前記カテーテルから最後に排出される、前記装置の基端は、前記着脱可能コネクタを含む閉鎖端として形成される、請求項１に記載の装置。
【請求項６】
前記外部プレート形状構造は、前記内部プレート形状構造から離間している、請求項１に記載の装置。
【請求項７】
前記メッシュは、７２および１４２打ち医療用ブレーダーの少なくとも一方による編み込みで形成される、請求項１に記載の装置。
【請求項８】
前記細長弾性管内に配置される第２細長弾性管をさらに有し、前記外部湾曲構造、内部湾曲構造、管状コネクタ、内部プレート形状構造、および外部プレート形状構造は、前記細長弾性管と前記第２細長弾性管の両方から形成される、請求項１に記載の装置。
【請求項９】
前記細長弾性管と、前記第２細長弾性管とは、それぞれ打ち数の異なる第１および第２ブレーダーで編み込まれる、請求項８に記載の装置。
【請求項１０】
前記内部湾曲構造、コネクタ、およびプレートと、前記外部湾曲構造、コネクタ、およびプレートは全て、単一の編込管から形成され、前記単一の編込管はめくられて、内外の湾曲構造、コネクタ、内外のプレート形状構造を一体的に形成する、重複するような形状のスリーブを形成する、請求項１に記載の装置。
【請求項１１】
前記管が自動展開する際に、前記内部湾曲構造と外部湾曲構造とにより釣鐘型が形成される、請求項１に記載の装置。
【請求項１２】
前記管が自動展開する際に、前記外部湾曲構造と内部湾曲構造とによりバルーン型が形成される、請求項１に記載の装置。
【請求項１３】
生体組織の開口を閉塞する方法であって、
カテーテルによって、形状記憶合金のメッシュで形成され、前記カテーテル内で圧縮可能な細長弾性管を送ることを含み、
当該管は前記カテーテルから排出されると自動展開して、
外部湾曲構造と、
前記外部湾曲構造内に配置され、前記外部湾曲構造の内側に適合して係合する内部湾曲構造と、
前記内部湾曲構造よりも実質的に小さい直径を有し、前記内部湾曲構造の頂点から離間する方向に延在する管状コネクタと、
内部プレート形状構造と、
外部プレート形状構造と、
着脱可能コネクタとが連続的に順次形成される、方法。
【請求項１４】
前記装置が、左心耳に送り込まれる、請求項１３に記載の方法。
【請求項１５】
前記形状記憶合金はニチノールである、請求項１３に記載の方法。
【請求項１６】
前記形状記憶合金は編み込まれている、請求項１３に記載の方法。
【請求項１７】
前記カテーテルから最後に排出される、前記装置の基端は、前記着脱可能コネクタを含む閉鎖端として形成される、請求項１３に記載の方法。
【請求項１８】
前記内部湾曲構造、コネクタ、およびプレートと、前記外部湾曲構造、コネクタ、およびプレートは全て、単一の編込管を形成し、前記単一の編込管は部分的にめくられて内部および外部スリーブが形成される、請求項１３に記載の方法。
【請求項１９】
生体組織の開口を閉塞する装置であって、
形状記憶合金のメッシュで形成され、カテーテル内から前記開口に送られるよう圧縮可能な細長弾性管を備え、当該管は前記カテーテルから排出されると自動展開して、
外部釣鐘型構造と、
前記外部釣鐘型構造内に配置され、前記外部釣鐘型構造の内側に適合して係合する内部釣鐘型構造と、
前記内部釣鐘型構造よりも実質的に小さい直径を有し、前記内部釣鐘型構造の頂点から離間する方向に延在する管状コネクタと、
内部プレート形状構造と、
外部プレート形状構造と、
着脱可能コネクタとが連続的に順次形成される、装置。
【発明の詳細な説明】
【技術分野】
【０００１】
本開示は、解剖学的構造を閉塞するシステムおよび方法に関し、特にカテーテルにより送り込まれる、体内開口部用可撓性自己固定型カバーに関する。
【背景技術】
【０００２】
心耳や動脈瘤のような、体内の血管や内臓の正常機能を著しく変動させ得る、極めて異常または奇形な解剖学的部位の閉塞または被覆に閉塞装置が利用されている。このような解剖学的構造は、脳卒中またはその他深刻または致命的な状況に繋がり得る血栓の形成を生じるリスクがある。このリスクは、構造に空いた開口を塞ぐまたは覆うことで大幅に低減できる。
【発明の概要】
【０００３】
本開示の一実施形態において、生体組織の開口を閉塞する装置は、形状記憶合金のメッシュで形成され、カテーテル内から前記開口に送られるよう圧縮可能な細長弾性管を備え、当該管は前記カテーテルから排出されると自動展開して、外部湾曲構造と、前記外部湾曲構造内に配置され、前記外部湾曲構造の内側に適合して係合する内部湾曲構造と、前記内部湾曲構造よりも実質的に小さい直径を有し、前記内部湾曲構造の頂点から離間する方向に延在する管状コネクタと、内部プレート形状構造と、外部プレート形状構造と、着脱可能コネクタとが連続的に順次形成される。
【０００４】
その変形例として、前記形状記憶合金はニチノールであり、前記装置の、前記カテーテルから最初に排出される先端は、閉鎖端として形成され、前記形状記憶合金は編み込まれ、前記カテーテルから最後に排出される、前記装置の基端は、前記着脱可能コネクタを含む閉鎖端として形成され、前記外部プレート形状構造は、前記内部プレート形状構造から離間し、さらに／あるいは前記メッシュは、７２および１４２打ち医療用ブレーダーの少なくとも一方による編み込みで形成される。
【０００５】
さらなる変形例として、装置はさらに前記細長弾性管内に配置される第２細長弾性管をさらに有し、前記外部湾曲構造、内部湾曲構造、管状コネクタ、内部プレート形状構造、および外部プレート形状構造は、前記細長弾性管と前記第２細長弾性管の両方から形成され、任意で前記細長弾性管と、前記第２細長弾性管とは、それぞれ組紐数の異なる第１および第２ブレーダーで編み込まれる。
【０００６】
ことなる変形例では、前記内部湾曲構造、コネクタ、およびプレートと、前記外部湾曲構造、コネクタ、およびプレートは全て、単一の編込管から形成され、前記単一の編込管はめくられて、内外の湾曲構造、コネクタ、内外のプレート形状構造を一体的に形成する、重複するような形状のスリーブを形成する、前記管が自動展開する際に、前記内部湾曲構造と外部湾曲構造とにより釣鐘型が形成される、さらに／あるいは前記管が自動展開する際に、前記外部湾曲構造と内部湾曲構造とによりバルーン型が形成される。
【０００７】
本開示の別の実施形態において、生体組織の開口を閉塞する方法は、カテーテルによって、形状記憶合金のメッシュで形成され、前記カテーテル内で圧縮可能な細長弾性管を送ることを含み、当該管は前記カテーテルから排出されると自動展開して、外部湾曲構造と、前記外部湾曲構造内に配置され、前記外部湾曲構造の内側に適合して係合する内部湾曲構造と、前記内部湾曲構造よりも実質的に小さい直径を有し、前記内部湾曲構造の頂点から離間する方向に延在する管状コネクタと、内部プレート形状構造と、外部プレート形状構造と、着脱可能コネクタとが連続的に順次形成される。
【０００８】
その変形例において、前記装置が、左心耳に送り込まれ、前記形状記憶合金はニチノールであり、前記形状記憶合金は編み込まれ、前記カテーテルから最後に排出される、前記装置の基端は、前記着脱可能コネクタを含む閉鎖端として形成され、さらに／あるいは前記内部湾曲構造、コネクタ、およびプレートと、前記外部湾曲構造、コネクタ、およびプレートは全て、単一の編込管を形成し、前記単一の編込管は部分的にめくられて内部および外部スリーブが形成される。
【０００９】
本開示の別の実施形態において、生体組織の開口を閉塞する装置は、形状記憶合金のメッシュで形成され、カテーテル内から前記開口に送られるよう圧縮可能な細長弾性管を備え、当該管は前記カテーテルから排出されると自動展開して、外部釣鐘型構造と、前記外部釣鐘型構造内に配置され、前記外部釣鐘型構造の内側に適合して係合する内部釣鐘型構造と、前記内部釣鐘型構造よりも実質的に小さい直径を有し、前記内部釣鐘型構造の頂点から離間する方向に延在する管状コネクタと、内部プレート形状構造と、外部プレート形状構造と、着脱可能コネクタとが連続的に順次形成される
【００１０】
添付の図面と合わせて以下の詳細な説明を参照することにより、本開示やその効果および特徴に対する理解がより深まるであろう。
【図面の簡単な説明】
【００１１】
【図１】図１は、本開示の閉塞装置の側面図である。
【図２Ａ】図２Ａは、サボテン型左心耳（ＬＡＡ）を示す。
【図２Ｂ】図２Ｂは、吹き流し型ＬＡＡを示す。
【図２Ｃ】図２Ｃは、カリフラワー型ＬＡＡを示す。
【図２Ｄ】図２Ｄは、手羽型ＬＡＡを示す。
【図２Ｅ】図２Ｅは、体内の、開口または孔を有する壁または隔膜を示す。
【図３】図３は、ＬＡＡ内の定位置に固定された図１の装置を示す。
【図４】図４は、カテーテルから排出され始めた状態の、図１の装置を示す。
【図５】図５は、引き続き排出され、外部釣鐘型構造が形成され始めた状態の、図１の装置を示す。
【図６】図６は、引き続き排出され、外部釣鐘型構造が形成されている状態の、図１の装置を示す。
【図７】図７は、引き続き排出され、外部釣鐘型構造が完成した状態の、図１の装置を示す。
【図８】図８は、引き続き排出され、内部釣鐘型構造が形成され始めた状態の、図１の装置を示す。
【図９】図９は、引き続き排出され、内部釣鐘型構造が完成した状態の、図１の装置を示す。
【図１０】図１０は、引き続き排出され、コネクタ部が形成されて、カバー構造が形成され始めた状態の、図１の装置を示す。
【図１１】図１１は、引き続き排出され、引き続きカバー構造が形成されている状態の、図１の装置を示す。
【図１２】図１２は、引き続き排出され、引き続きカバー構造が形成されている状態の、図１の装置を示す。
【図１３】図１３は、カテーテルから完全に排出され、完全に形成された状態の、図１の装置を示す。
【図１４】図１４は、図１３の装置の斜視図である。
【図１５】図１５は、装置と、カテーテルの設置用ケーブルとの取付機構を示す。
【図１６】図１６は、図１の装置の回収を示し、カテーテル内に引き込まれながら、カバーがバルーン状に戻っている状態を示す。
【図１７】図１７は、図１の装置の回収を示し、カバーが完全にカテーテル内に引き込まれた状態を示す。
【図１８】図１８は、図１の装置の回収を示し、内部釣鐘型が引き込まれた状態を示す。
【図１９】図１９は、図１の装置の回収を示し、外部釣鐘型の引き込み進行中の段階を示す。
【図２０】図２０は、図１の装置の回収を示し、外部釣鐘型の引き込み進行中の段階を示す。
【図２１】図２１は、図１の装置の回収を示し、外部釣鐘型の引き込み進行中の段階を示す。
【図２２】図２２は、先端を残して全てカテーテル内に引き込まれた図１の装置を示す。
【図２３】図２３は、本開示のフックの等角図である。
【図２４】図２４は、図２３のフックの側面図である。
【図２５】図２５は、本開示の装置の上面図を示し、フィルタ膜を含む二重プレート構成が形成されている。
【図２６】図２６は、図２５の装置を示し、本開示のネジ状コネクタの詳細を示す。
【図２７】図２７は、本開示の装置の外部釣鐘型構造に、縫合糸で取り付けられた本開示のフックを詳細に示す。
【図２８】図２８は、隔膜の孔を閉塞するように定位置に配置された図１の装置の断面図を示す。
【図２９】図２９は、追加プレート形状構造を含む、別のアンカー構成を示す。
【図３０】図３０は、バルーン状構造を含む、別のアンカー構成を示す。
【図３１】図３１は、反転した釣鐘型構造を含む別のアンカー構成を示す。
【図３２Ａ】図３２Ａは、本開示の装置を形成するために使用される、単層管状構造を例示的に示す。
【図３２Ｂ】図３２Ｂは、より長い単層管状構造をめくりあげる、または２つの管状構造を入れ子にして形成できる二重層構造を示す。
【図３２Ｃ】図３２Ｃは、本開示の装置を形成する二重層構造を例示的に示す。
【図３３Ａ】図３３Ａは、内部管状構造が、外部管状構造と異なる編み込み方またはメッシュ構造で形成される、二重層構造を示す。
【図３３Ｂ】図３３Ｂは、図３３Ａの内部および外部管状構造を互いに反対の位置にした状態を示す。
【発明を実施するための形態】
【００１２】
本稿には実施形態の詳細が適宜開示されているが、この開示された実施形態は単に例示のためのものであり、以下に説明されるシステムおよび方法はあらゆる形態で実施可能である。したがって、本稿に開示されている特定の構造および機能に関する詳細は、限定的に解釈されるものではなく、単に請求項の基礎をなすものとして、また、当業者が本願の主題を実質的にあらゆる適切な構造および機能に適宜採用できるように教示するための代表を示す基礎として解釈されるものである。さらに、本稿に使用される用語や表現は限定を意図したものではなく、概念を理解しやすいように説明するためのものである。
【００１３】
本稿において単数で示された語は、１つまたは２つ以上であると定義される。本稿において複数で示された語は、２つまたは３つ以上であると定義される。本稿において「別の」という語は、少なくとも２つ目の、またはそれ以上のものであると定義される。本稿において「備える」、「有する」という語は、含むこと（すなわち、そこに挙げられたものに限定されない）であると定義される。本稿において「結合された」という語は、「接続された」と定義され、必ずしも直接接続である必要はなく、また、必ずしも機械的な接続でなくてもよい。
【００１４】
図１から３に示すように、本開示の装置１００は体内の奇形または異常解剖学的構造（以下、「解剖学的構造」）の内側壁に適合して係合するような大きさに設計されたアンカー１２０と、当該構造に通じる開口を閉塞または覆うような大きさに設計されたカバー１６０とを有する。本開示の装置１００は、身体のあらゆる開口を閉塞するように使用できる。その例を、様々な公知の種類の左心耳（ＬＡＡ）を例示的に示す図２Ａから２Ｄと、望ましくない開口を有する任意の種類の組織壁を示す図２Ｅに示す。
【００１５】
図３は、装置１００により閉鎖または閉塞された、ヒトの心臓３００の「吹き流し」形ＬＡＡ３０２の断面図である。当図にはさらに、左心房３０６と、左上肺静脈３０８も示す。図において、外側アンカー側壁、または外部釣鐘型１２４が、ＬＡＡの内面３０４の渦巻き形状に適合していることが確認できる。さらに、カバー１６０が解剖学的構造、この例では心房内部３０６の表面に適合しており、最終的に生体組織により覆われることが確認できる。
【００１６】
装置１００は、設置用ケーブル１８０（図１５に示す）に取り付けられ、カテーテル１８２に挿入されて、設置、または除去される。ＬＡＡの例では、カテーテルが脚の静脈に沿って送られ、心房中隔の経中隔穿刺を通じて左心房内へと送られる、あるいはその他方法で当該部位に送られる。ピッグテールカテーテルを使用して、ＬＡＡに穴をあけるリスクを低減できる。当分野では公知のように、装着済みデリバリーカテーテルをこのピッグテールを介してＬＡＡに送ることができる。装着済みデリバリーカテーテルは、アクセスシースの先端に送られ、次のようにして設置が実現される。まず装置をシース内に押し込む。そして、シースがＬＡＡの開口に配置されたままの状態で、装置１００が接続されたケーブル１８０を使用して、装置１００を押し出す。最終位置は、経食道心エコー検査（ＴＥＥ）、心臓内心エコー検査（ＩＣＥ）、蛍光透視法、またはその他任意の公知の方法で確認できる。
【００１７】
同様にカテーテルを使用して、装置１００が設置または除去されるその他身体構造にアクセスできる。装置１００は、メッシュまたは伸縮可能な弾性材料で構成される。図示の実施形態では、形状記憶ワイヤの撚糸により、メッシュが形成される。あるいは、当該材料のシートに穴を打ち抜くことで装置１００を形成してもよい。カテーテル内で、装置１００は圧縮形態となり、細長管状構造が形成される。一実施形態において、メッシュはポリマー材料から形成され、撚糸を織るようにして形成してもよいし、シートを打ち抜いて端を溶接して管状にしてもよいし、あるいは本明細書に記載の形状に成型されてもよい。編物または織物を、本明細書に記載の特定の形状に成型することで得られた管は、圧縮可能であり、体内へ送り込まれたのちに広がり、成型された形状に復元可能である。
【００１８】
打ち抜きによるもの、ワイヤメッシュのいずれの場合でも、伸縮可能な弾性材料はニチノール等の形状記憶金属または合金であってもよい。ただし、非常に弾性、伸縮性に優れ、形状記憶効果によりもとの形状に復元でき、耐久性、生体適合性も十分であれば、その他材料も利用できる。具体的に利用可能な形状記憶材料としては、銅―アルミニウム−ニッケルおよびニッケルチタン合金が挙げられるが、公知又は今後開発され得る同様の特性を有するその他材料も含まれる。材料は、形状記憶金属とポリマー材料の組合せであってもよい。即ち、図示のようにニチノール糸内にポリマー繊維が組み込まれてもよい。さらに、クラッディングされた材料を使用してもよい。例えば、ニチノールの外側にプラチナ、金、その他生体適合性貴金属、あるいは他の受動性材料をクラッディングしてもよい。編物または織物を所望の最終形状に対応する型に押し込んで、選択した材料の要件に応じた所与の熱を所定時間与えることで、型形状に加熱成型することで開示の装置１００の形状が得られる。
【００１９】
各種実施形態では、装置１００の管状構造１０２（図３２Ａ）は、両端が開放している、あるいは一端または両端が閉じている。図示の実施形態では、織材料の各端が閉じている。カテーテルから最初に体内へと排出される先端１３２では、織材料をまとめて球１２２にしている。但し、別の方法で端部を閉じてもよい。例えば、接着、ろう付け、はんだ付け、溶着、縫合、またはクリップやジッパーの使用などが考えられる。装置１００の基端では、材料はまとめられてコネクタ１７０に取り付けられる。これにより、装置１００が設置用ケーブル１８０に着脱可能に接続される。取付け手段は、ネジやツイストロック等任意のもので実現でき、例えば、生体適合性金属またはプラスチック材料で製造できる。まとめて球にした先端１３２により、生体組織に孔をあける可能性が抑えられる。一実施形態において、コネクタ１７０は装置１００に接続される雌ネジ部と、それに螺合する、ケーブル１８０の端に設けられた雄ネジ部とを含む。コネクタ１７０により、ケーブル１８０が装置１００をシースから解剖学的構造内へと押し出されることを可能とする。そして、コネクタ１７０の螺合を解除することで、装置１００を取り外すことができる。必要に応じて、ケーブル１８０を再度コネクタ１７０と螺合させてもよい。これにより、ケーブル１８０を引くことで、身体から装置１００を除去できる。
【００２０】
設置用ケーブル１８０により、カテーテル１８２を通じて装置１００が押し出される。そのため、装置１００はその際に崩れないよう十分に頑強で、かつケーブル１８０が装置１００を通過可能とするような材料で形成される必要がある。カテーテル１８２から装置１００の各部位が分離する際、形状記憶金属の形状記憶機能により、図や本明細書で説明するとおり、所定の形状が形成できる。
【００２１】
図４に示す、先端１３２の球１２２は、カテーテル１８０から最初に排出される部分である。装置１００の織構造が全体的に圧縮されることで、カテーテル内に装置１００が嵌入可能であることが確認されよう。図５および６に示すように、装置１００は、形状記憶合金の弾力性の、ばね的な性質により、自動的に展開するようになっている。メッシュはカテーテルから排出されると展開可能であり、この自動展開としてまずはバルーン状構造が形成される。図７では、縁が現れ、アンカー１２０の外部釣鐘型１２４の全体的な輪郭がはっきりしてきている。図７に示すように、釣鐘型構造は中空状であり、単一の壁で画定されている。図８では、下縁１３０が自動的に捲れて、内部釣鐘型１２６が外部釣鐘型１２４内に形成されている。図９に示されるように、内部釣鐘型１２６が外部釣鐘型１２４に当接、補強する。これにより、中空二重壁釣鐘型アンカー１２０が形成されるのである。内部釣鐘型１２６は、外部釣鐘型１２４の内側に適合して係合する。これにより、解剖学的構造の生体組織に適合して係合した外部釣鐘型が固定される。
【００２２】
図１０に示すように、カバー１６０の構造がカテーテル１８２から排出されて、展開し始める。管状コネクタ１２８は、内部釣鐘型１２６の頂点における、装置１００の先端１３２からカバー１２０まで延在する。図１１に示すように、カバー１２０並びにアンカー１６０は、展開時にまずバルーン状構造となる、二重層により形成される。図１２に示すように、カバー先端面および基端面１６２および１６４がそれぞれ形成され始める。図１３において、カバー１６０は最終的な二重層、二重プレート形状構造となっている。図１５は、アンカー１２０に隣接するカバー１６０の先端面が略平坦である状態を示す斜視図である。但し、具体的に閉塞する解剖学的構造に合わせて、当該面は湾曲してもよい。さらに、具体的な解剖学的構造を覆うのに最も適したその他形状が形成されてもよい。例えば凹部１６８を形成することで、カバー基端面１６４をカバー先端面１６２から離間するようにしてもよい。これにより、カバー先端面が生体組織に密着した状態で、外側カバー縁１６６を生体組織に強く弾性的に押し付けることができる。
【００２３】
実施形態において、少なくともカバー基端面１６４が組織増殖因子でコーティングされてもよい。これにより、カバー１６０がより体内で一体化し、装置１００がより効果的に体内に固定され、血栓形成の可能性をさらに低減できる。当該増殖因子で装置１００全体をコーティングする、または増殖因子を装置１００の形状記憶材料にコーティングに一体化させることが有利であり得る。これにより、時間と共に徐々に当該因子が放出され得る。装置１００の一部または全体を、その他物質でコーティングしてもよい。その他物質の例としては、血液稀釈剤、抗生物質、薬剤、または他の治療物質が挙げられる。装置１００は、例えばポリエチレンテレフタレート（ＰＥＴ）またはその他生体適合性材料等によるポリマー織物のような、柔軟な織物で被覆してもよい。これは、装置１００のメッシュの開口よりも微細な粒子をフィルタリングして、解剖学的構造に対して侵入または離脱することを防ぐことが望ましい場合に有利である。同様に、装置１００をナノ材料で被覆してもよい。
【００２４】
さらに／あるいは、プラチナまたは金等のナノ材料、あるいはその他受動材料を使用して、閉塞装置をコーティングしてもよい。これらコーティングでは、各ワイヤを蒸着技術またはナノ積層技術でコーティングする。したがって、装置１００の個別のワイヤまたは繊維が肉薄または極薄材料層でコーティングされる。
【００２５】
図２５および２６に示す実施形態では、ポリマーフィルタリング用繊維フィルタ１７８が、カバー基端および先端面１６２および１６４の間に挿入されている。したがって、解剖学的構造内の血栓または粒子の血流への移動が、より効果的に防止されている。フィルタ１７８は、面１６２および１６４の間で位置が固定されている場合、コネクタ１７０に取り付けて定位置に保持してもよいし、あるいは少なくとも設置前まで、定位置に縫合または接着されていてもよい。フィルタ１７８は、例えばＰＥＴ布を含む、設置時に圧縮可能で、所望のメッシュまたは孔サイズを有するあらゆる生体適合性材料により製造可能である。
【００２６】
図１４および１５では、設置用ケーブル１８０は巻線を棒状にしたものとして示されているが、あらゆる公知の構造を採用可能であることを付言しておく。ケーブル１８０は、軸周りで回転して、設置用ケーブル１８０に取り付けられたケーブル嵌合コネクタ部１７０を、装置嵌合コネクタ部１７０からネジを緩めるようにして、あるいはその他方法で着脱可能とする。
【００２７】
図１５において、装置１００は再度捕集され、カテーテル１８２内に回収される初期段階にある。ここでは、カバー基端面１６４に歪みがいくつか生じている。回収は、単一の処置中に、装置１００を再配置するために実施できるし、ある程度時間が経過した後に装置１００を除去するためにも実施できる。図１６において、カテーテル１８２の端部に収縮圧力がかけられている。その結果カバー１６０が伸びて再びバルーン形状となり、図１７ではカテーテル内に収まっている。図１８では、内部釣鐘型１２６が外部釣鐘型１２４から引き離され、カテーテル１８２内に引きずり込まれている。図１９では、内部釣鐘型１２６が反転して、外部釣鐘型１２４とともにバルーン形状を形成する。図２１および２２において、内部釣鐘型１２６がカテーテル１８２に引きずり込まれて、最終的に図２２示すように、外部釣鐘型１２４がカテーテル１８２に引きずり込まれる。これにより、見えるのはクリップ１２２のみとなる。引き続き設置用ケーブル１８０をカテーテル１８２から引き出すことで、体内から装置１００を完全に除去できる。
【００２８】
これら図に示されるように、さらには図２３および２４に示すように、アンカー１２０にはフック１４０が取り付けられている。なお、図示し、本明細書で説明するとおり、アンカー１２０を挿入先である解剖学的構造の内壁に対して外側に押し付けて、内面に弾性的に密着させることで、生体組織に対して固定的に取り付けることができる。したがって、フック１４０は必須要素ではないが、装置１００が脱落して栓塞を起こすことをより効果的に防止するために適宜使用され得る。フック１４０は、アンカー１２０の外部釣鐘型１２４表面に対して傾斜して突出するかかり部１４２を有する。これにより、アンカー１２０が体内で展開して最終適合形状になる際に、フック１４０を生体組織内に挿入できる。
【００２９】
平坦部１４４は、図１４および２７に示すように（その他図では、見易さのために省略）、縫合糸１７６を使用して外部釣鐘型１２４に縫い付けられるまたはその他方法で取り付けられる。これにより、設置後、装置１００の表面に対する特定の傾斜配置が維持される。アンカー１２０が打ち抜き形成される場合、かかり１４２を曲げて必要な角度にすることができる。かかり１４２は、平坦部１４４に弾性的に取り付けられる。これにより、装置１００がカテーテル１８２を介して設置、除去される際に、かかり１４２が畳まれて平坦部１４４に沿って平坦となるようにできる。図２３および２４に示すフック構造の具体的構造は、フックを形成して、装置１００のメッシュ材料に取り付ける一例を示すものである。フックまたはかかりのその他形状や形態も当分野では公知であり、本開示の装置１００に使用できる。さらに、使用する場合にはフック１４０の数は具体的な設置要件に応じて変更できる。例えば、ポリエチレンテレフタレート（ＰＥＴ）、ポリプロピレンまたはポリテトラフルオロエチレン（ＰＴＦＥ）により取付構造を実現可能である。
【００３０】
本開示のアンカー１２０は、釣鐘型であり、その設置時の直径に対して、数分の一まで圧縮できるので、多様な直径の解剖学的構造に対して適合し、固定して取り付けることができる。具体的には、アンカー１２０は細長側壁により底部が解放した釣り鐘型となるため、解剖学的構造内部の、生体組織の形状に対して、細長側壁が歪むことなく密着しやすくなっている。多様に圧縮できることでさらに、特に心臓内での生体組織の大きな動きが生じても、内側壁に対する係合が維持されることを保証できる。ＬＬＡを閉塞する場合、例えば典型的な生体構造では、外部釣鐘型１２４は約１８ｍｍから約３６ｍｍの直径を有してもよい。装置毎に生体組織の多様な直径に対応可能であるが、理想的な装着のため、外部釣鐘型１２４は例えば１８ｍｍ、２０ｍｍ、２２ｍｍ、２４ｍｍ、２６ｍｍ、２８ｍｍ、３０ｍｍ、３２ｍｍ、３４ｍｍ、３６ｍｍのように２ｍｍ刻みで大きくするようにしてもよい。生体組織に対して装置１００が押し付けられていない状態で、内部釣鐘型１２６は、外部釣鐘型１２４よりも２ｍｍ程度直径が少ないため、１６ｍｍ、１８ｍｍ、２０ｍｍ、２２ｍｍ、２４ｍｍ、２６ｍｍ、２８ｍｍ、３０ｍｍ、３２ｍｍ、３４ｍｍのような大きさとなる。
【００３１】
さらに、多様に圧縮できることで、解剖学的構造が経時的に内径を大きく変化させても、適合可能となる。フック１４０を使用しない実施形態では、多様な弾性と、組織に対する広い接触表面積により、装置１００は非外傷性となり得る。さらに装置１００の接触領域が広いことで、生体組織に対する強固な密着を実現するために、必要以上にサイズを大きくする必要がないので、具体的には心臓内のように、連続的に動くような生体組織でも、裂傷を防止できる。さらに、多様に圧縮できることで、装置１００のサイズ範囲は小さくとどめる必要がある。装置１００の展開時の直径サイズは、閉塞される解剖学的構造の直径の範囲に応じて決定される。ＬＡＡの閉塞の場合、例えば装置１００は展開時直径が２１から３３ｍｍの間で一以上となり、例えば９−Ｆｒから１４−Ｆｒカテーテルが使用される。
【００３２】
二層のメッシュで形成されたカバー１６０も弾性を有し、外側の解剖学的構造、または解剖学的構造の入り口に適合するように、大きく圧縮、変形可能である。具体的には、カバー先端面１６２は、組織表面に接触し、その形状に適合することができ、カバー先端面１６２から離間したカバー基端面１６４は、カバー先端面１６２に対して圧縮力を付与してその形状を維持できる。
【００３３】
装置１００が、開口部が１ｍｍ未満の目の細かいメッシュとして形成されるため、身体に対して強固に密着でき、織物で覆われているか否かを問わずに設置直後からフィルタとして機能できる。さらに、メッシュ構造は圧力が均等に拡散されるように生体組織に接触するので、外傷を抑えながら生体組織に対してより強く密着できる。開口の大きさは、装置１００のメッシュを形成するワイヤのピッチ幅、ピッチ角度に応じて決まる。これら要素は、編構造完成時に、例えば１ｍｍ未満の所期の開口サイズのメッシュを形成するよう予め決められてもよい。これにより、メッシュは非常にコンパクトとなり、解剖学的構造の腔内のあらゆる血栓を保持できる。
【００３４】
アンカー１２０とカバー１６０を別体として形成した装置１００により、アンカー１２０が独自で多様な内部構造に対して圧縮、適合可能で、一方管状コネクタ１２８によりアンカー１２０から離間したカバー１６０が最大径に展開された状態を維持して、解剖学的構造への開口を完全に被覆できる。さらに、管状コネクタ１２８は非常に可撓性が高いため、カバー１６０が解剖学的構造の外側、または入り口の生体組織に密着するように、アンカー１２０の設置角度とは独立した角度に曲げることができる。
【００３５】
外部釣鐘型１２４と内部釣鐘型１２６の相互作用で、装置１００が体内でずれないように、スナップフィットまたはロックボタンを実現できる。具体的には、特に何らかの理論に限定されるものではないが、外部釣鐘型１２４は非常に可撓性の高い、変形可能なバルーン形状を保ったままで、解剖学的構造の内面に適合して係合する。内部釣鐘型１２６が外部釣鐘型１２４に適合した記憶形状に広がると、内外の釣り鐘型の記憶形状が完成して、外部釣鐘型１２４が適合構成に固定される。記憶形状に復元されると、それ以上は変化しないようになる。特に記憶された形状を逸脱するような、コネクタ１７０の基端と先端１３２との間で延在する長手軸に沿ったずれによる変化は防止される。これにより、外部釣鐘型１２４による生体組織表面上の回転や、その他動きが防止される。さらに、内部釣鐘型１２６から外部釣鐘型１２４に付与される力により、外部釣鐘型１２４の現行の適合構成が強固となり、生体組織に対する外部釣鐘型１２４のずれがより効果的に防止される。
【００３６】
例えば図２Ｅに示すような種類の組織壁３２２の開口または間隙３２０を閉塞する場合、装置１００は図２８に示すように、カバー１６０とアンカー１２０とをそれぞれ壁の反対側に配置して設置できる。アンカー１２０は、下縁１３０を先端１３２に向けてずらすことで圧縮され、これによりカバー１６０が壁３２０の反対側に向けて圧縮される。
【００３７】
本発明者らは、アンカー１２０を釣鐘構造として、左心房内で定位置に維持されたプレート形状に接続し、協働することが有利であると発見したが、装置１００は身体のその他部位、即ち左心房以外の解剖学的構造において、当該部位により適した異なる構成の釣り鐘形状を有してもよい。例えば、身体のその他部位において形成可能な別の構造としては、別のプレート形状構造１２０Ａ（図２９）、例えば概して球形、卵形、または梨型のバルーン形状１２０Ｂ（図３０）、あるいは反転した釣鐘型状（図３１）を形成してもよい。
【００３８】
本発明者はさらに、装置１００の二層構造１０２Ａ、１０２Ｂ、１０２Ｃ（図３２Ｂ、３３）を採用することで、カテーテル内および体内への押出性が向上して、ねじれに対する抵抗や、所期の展開後の形状のより効果的な維持を実現できることを発見した。二層により、設置後の解剖学的構造を所望どおりに塞ぐ、あるいは閉塞するように径方向強度の向上や、表面密度の向上が図られ、さらに組織成長用の効果的な基礎が実現される。
【００３９】
図３２Ａは、単層管状構造１０２を示し、図３２Ｂは折りたたまれて二層構造となった管状構造１０２Ａを示す。そして図３２Ｃに示すように、この二重層構造を形成し、展開後の形状が、本明細書の別箇所で説明したようにして形成される。
【００４０】
装置１００のメッシュを形成するワイヤの直径または厚さは、患者の体形、埋め込み部位、対象解剖学的構造、及び所要の強度に合わせて選択可能である。図示および本明細書記載の特性を有する装置１００が実現できるようなワイヤの厚さで、本開示を実施できる。非限定的な一実施形態において、ワイヤは１４４打ち医療用ブレーダーに適するように非常に細くてもよいし、７２打ちブレーダーに適するようにより太いワイヤであってもよい。別の実施形態において、内層、外層をそれぞれ異なる打ち数のブレーダーで形成する。例えば、内層を７２打ちで比較的厚くし、外層を１４４打ちでより細くしてもよい。このようにして、外層では細いワイヤを高密度で編むことで、比較的高メタルカバレッジが実現され、７２打ちによる内層では、比較的大きな軸方向、径方向強度が実現され、例えばカバー１６０とアンカー１２０の形成された所期の形状が維持され、その形状が所期の位置に維持されるようになる。
【００４１】
図３３Ａは、組紐数が少ない外部層１０４と、組紐数が多い内部層１０６とを例示的に示す。これらに二層は、端部で互いに接合される。得られた二重層構造を、本明細書に記載のとおりに、所期の形状に形成する（例えば、図３２Ｃに示す）。図３３Ｂは、層を反対にした状態を示す。即ち、外部層１０６の組紐数が少なくなっている。本名所に記載の二重層構造は、これ以外にも本明細書で記載するように、形成される。
【００４２】
組紐サイズが異なる内部および外部表面は、公知の方法により、繋ぎ目で接合できる。公知の方法としては、溶接、ろう付け、はんだ付け、ウィービング、プレス加工、ピンチング加工、圧着、編み込み、その他が挙げられる。両層が同じ組紐サイズであれば、編み込み材料の一部を部分的に内側に捲るまたは折り畳むことで、または編込管の一部、例えば半分を裏返しにするようにして、内部層を形成可能である。金属編物または織物の二重構造は、閉塞が必要な多様な解剖学的構造に対応するように、所期の可変奥行きおよび幅を有すように、展開構造が形成されることを含む、本明細書記載の各種特性を実現しやすくする。当該解剖学的構造の例は、神経学的処置、心血管処置、抹消器官処置、およびその他器官の処置等の、各種解剖学的標示で確認される。
【００４３】
本稿に引用された全ての文献は、参照によりその全体が本願に明示的に組み込まれる。当業者であれば、本開示が本稿に特に示されたものや説明されたものに限定されないことが理解されよう。また、別途規定のない限り、添付の図面の縮尺は原寸に比例していない。本開示に対して多くの異なる特徴があり、これらの特徴は一緒に用いられても、別々に用いられてもよいと考えられる。したがって、本開示は、特徴の任意の組合せや本開示における特定の適用例に限定されるべきではない。さらに、当業者であれば、本開示の範囲において変更や変形が可能であることが理解されよう。したがって、本開示の範囲に含まれる本稿の開示から当業者が容易に到達可能な全ての適切な変形例は、本開示のさらなる実施形態として含まれる。
【図１】
2019511345.tif 000003
【図２Ａ】
2019511345.tif 000004
【図２Ｂ】
2019511345.tif 000005
【図２Ｃ】
2019511345.tif 000006
【図２Ｄ】
2019511345.tif 000007
【図２Ｅ】
2019511345.tif 000008
【図３】
2019511345.tif 000009
【図４】
2019511345.tif 000010
【図５】
2019511345.tif 000011
【図６】
2019511345.tif 000012
【図７】
2019511345.tif 000013
【図８】
2019511345.tif 000014
【図９】
2019511345.tif 000015
【図１０】
2019511345.tif 000016
【図１１】
2019511345.tif 000017
【図１２】
2019511345.tif 000018
【図１３】
2019511345.tif 000019
【図１４】
2019511345.tif 000020
【図１５】
2019511345.tif 000021
【図１６】
2019511345.tif 000022
【図１７】
2019511345.tif 000023
【図１８】
2019511345.tif 000024
【図１９】
2019511345.tif 000025
【図２０】
2019511345.tif 000026
【図２１】
2019511345.tif 000027
【図２２】
2019511345.tif 000028
【図２３】
2019511345.tif 000029
【図２４】
2019511345.tif 000030
【図２５】
2019511345.tif 000031
【図２６】
2019511345.tif 000032
【図２７】
2019511345.tif 000033
【図２８】
2019511345.tif 000034
【図２９】
2019511345.tif 000035
【図３０】
2019511345.tif 000036
【図３１】
2019511345.tif 000037
【図３２Ａ】
2019511345.tif 000038
【図３２Ｂ】
2019511345.tif 000039
【図３２Ｃ】
2019511345.tif 000040
【図３３Ａ】
2019511345.tif 000041
【図３３Ｂ】
2019511345.tif 000042
【国際調査報告】
2019511345.tif 000043